(57)【要約】【課題】遊技機の組み立てにおける工程を簡略化することができる簡単な構成を有する液晶表示装置を備えた遊技機を提供すること。【解決手段】この液晶表示装置２７は、液晶パネル１０４と、遊技機の遊技者側から見て液晶パネル１０４の背面側（リール側）に設けられ、液晶パネル照明用の光源から出射される光を液晶パネル１０４側へ導く液晶パネル用導光ユニットと、リール照明用の光源から出射される光をリール側に導くリール用導光ユニットと、を有する。液晶パネル１０４、液晶パネル用導光ユニット及びリール用導光ユニットは、保持部材であるリアホルダ１１４、リールガラスベース１０２及びベゼル金属枠１０３により一体的に固定される。【選択図】    図３
2006006651.tif 000002
【特許請求の範囲】
【請求項１】
複数の識別情報が配列されたリールを複数個並設した変動表示装置と、前記変動表示装置よりも遊技者側に位置し、所定の表示を行う液晶表示装置と、を具備する遊技機であって、
前記液晶表示装置は、液晶パネルと、前記遊技機の遊技者側から見て前記液晶パネルの背面側に設けられ、前記液晶パネル用の第１照明手段から出射される光を前記液晶パネル側へ導く液晶パネル用導光ユニットと、前記リール用の第２照明手段から出射される光を前記リール側に導くリール用導光ユニットと、を有し、前記液晶パネル用導光ユニット及び前記リール用導光ユニットが前記液晶表示装置内で一体化されていることを特徴とする遊技機。
【請求項２】
前記液晶パネル用導光ユニットは、前記液晶パネル用の第１照明手段と、前記第１照明手段からの光を内部で反射させながら出射する第１導光板と、前記第１導光板よりも遊技者側に位置し、前記第１導光板から出射した光を拡散させる拡散手段と、前記第１導光板に関して前記拡散手段と反対側に位置し、前記第１導光板から出射した光を反射する第１反射手段と、を具備し、前記リール用導光ユニットは、前記リール用の第２照明手段と、前記第２照明手段からの光を内部で反射させながら出射する第２導光板と、前記第２導光板に関して前記液晶パネル用導光ユニット側と反対側に位置し、前記第２導光板から出射した光を反射する第２反射手段と、を具備することを特徴とする請求項１記載の遊技機。
【請求項３】
前記第１及び第２導光板、前記拡散手段、及び前記第１反射手段は、それぞれのリールの識別情報を視認させるための開口部を有し、前記第２反射手段は、すべてのリール領域を視認させるための開口部を有することを特徴とする請求項２記載の遊技機。
【請求項４】
前記液晶表示装置は、前記液晶パネル用導光ユニット及び前記リール用導光ユニットを一体に保持する保持手段を有することを特徴とする請求項１から請求項３のいずれかに記載の遊技機。
【発明の詳細な説明】
【技術分野】
【０００１】
本発明は、リールを複数配列して構成した変動表示装置とは別に、液晶表示装置を備えた、スロットマシン、パチスロ機、パチンコ機その他の遊技機に関する。
【背景技術】
【０００２】
例えば、パチスロ機は、正面の表示窓内に複数の図柄を変動表示するリールを複数配列して構成した機械的変動表示装置、或いはリール上の図柄を画面に表示する電気的変動表示装置を有する。遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にメダル、又はコインなどの遊技媒体を払出すことで遊技者に利益を付与する。
【０００３】
また、現在主流の機種においては、有効化された入賞ライン（以下「有効ライン」という）に沿って所定の図柄の組合せが並び、メダル、コインなどが払出される入賞が成立するためには、内部的な抽選処理（以下「内部抽選」という）により役に当選（以下「内部当選」という）し、且つその内部当選した役（以下「内部当選投」という）の入賞成立を示す図柄組合せを有効ライン上に停止できるタイミングで遊技者が停止操作を行うことが要求される。つまり、いくら内部当選したとしても、遊技者の停止操作のタイミングが悪いと内部当選役の入賞を成立させることができない。即ち、停止操作をタイミングよく行う技術が要求される（「目押し」といわれる技術介入性の比重が高い）遊技機が現在の主流である。
【０００４】
また、遊技操作の技量の低い遊技者であっても興味を持って遊技を行うことができるように、遊技者の目押しに関する技量に基づいて、特定図柄の組合せを変動表示の停止時に有効ラインに沿って並ばせるために必要な図柄、あるいはメッセージを、機械的変動表示装置とは別に設けられる液晶表示装置に表示する遊技機が提供されている。
【０００５】
このような従来の遊技機には、遊技の入賞形態に応じた図柄組合せに関してリールを用いて各列に停止表示する機械的変動表示装置とは別に、ゲームの演出効果を高めるために、正面から見てリールの前面に配設され、リール表示窓の領域外から領域内に至る画像を表示し、リール図柄と重ねて表示する液晶表示装置が備わっている。
【０００６】
図５は、従来の遊技機の液晶表示装置を示す図である。液晶表示装置の最も遊技者側には、液晶パネル３０１が配置されている。液晶パネル３０１のリール側には、液晶パネル３０１の周縁部を保持する液晶ホルダ３０２が取り付けられている。液晶ホルダ３０２のリール側には、拡散板３０３が配置されている。拡散板３０３のリール側には、リール３１１の識別情報を視認させるための開口部３０４ａを有する導光板３０４が配置されている。導光板３０４の上部及び下部には、液晶パネル照明用の光源である冷陰極管３０５が配置されている。また、導光板３０４のリール側には、ホルダ３０６が配置されている。ホルダ３０６のリール側の表面には、段差部が設けられており、その段差部にカバー３０７が取り付けられている。リアホルダ３０６と液晶パネル３０１の周縁部を覆う枠３１０とにより液晶パネル３０１、液晶ホルダ３０２、拡散板３０３及び導光板３０４を保持する。また、リアホルダ３０６のリール側のカバー３０７に近い部分には、冷陰極管ホルダ３０９が取り付けられており、その内部にリール照明用の光源である冷陰極管３０８が配置されている。
【０００７】
【特許文献１】特開２００４−１６６９６０号公報
【発明の開示】
【発明が解決しようとする課題】
【０００８】
上記構成を有する液晶表示装置は、液晶パネル３０１、液晶ホルダ３０２、拡散板３０３及び導光板３０４で構成される導光ユニットに別体であるリール照明用の冷陰極管３０８を収容した冷陰極管ホルダ３０９が取り付けられている。したがって、遊技機を組み立てる際に、液晶表示装置に冷陰極管ホルダを取り付ける工程が必要となる。
【０００９】
本発明はかかる点に鑑みてなされたものであり、遊技機の組み立てにおける工程を簡略化することができる簡単な構成を有する液晶表示装置を備えた遊技機を提供することを目的とする。
【課題を解決するための手段】
【００１０】
本発明の遊技機は、複数の識別情報が配列されたリールを複数個並設した変動表示装置と、前記変動表示装置よりも遊技者側に位置し、所定の表示を行う液晶表示装置と、を具備する遊技機であって、
前記液晶表示装置は、液晶パネルと、前記遊技機の遊技者側から見て前記液晶パネルの背面側に設けられ、前記液晶パネル用の第１照明手段から出射される光を前記液晶パネル側へ導く液晶パネル用導光ユニットと、前記リール用の第２照明手段から出射される光を前記リール側に導くリール用導光ユニットと、を有し、前記液晶パネル用導光ユニット及び前記リール用導光ユニットが前記液晶表示装置内で一体化されていることを特徴とする。
【００１１】
この構成によれば、液晶パネル用導光ユニット及びリール用導光ユニットが液晶表示装置内で一体化されている。すなわち、液晶パネル用導光ユニットと別体であるリール照明用の冷陰極管が液晶パネル用導光ユニットや遊技機筐体に取り付けられている構成ではない。このため、遊技機を組み立てる工程において、リール照明用の冷陰極管を液晶パネル用導光ユニットや遊技機筐体に取り付ける工程が不要となる。その結果、遊技機の組み立てにおける工程や液晶表示装置の構成を簡略化することができる。
【００１２】
本発明の遊技機においては、前記液晶パネル用導光ユニットは、前記液晶パネル用の第１照明手段と、前記第１照明手段からの光を内部で反射させながら出射する第１導光板と、前記第１導光板よりも遊技者側に位置し、前記第１導光板から出射した光を拡散させる拡散手段と、前記第１導光板に関して前記拡散手段と反対側に位置し、前記第１導光板から出射した光を反射する第１反射手段と、を具備し、前記リール用導光ユニットは、前記リール用の第２照明手段と、前記第２照明手段からの光を内部で反射させながら出射する第２導光板と、前記第２導光板に関して前記液晶パネル用導光ユニット側と反対側に位置し、前記第２導光板から出射した光を反射する第２反射手段と、を具備することが好ましい。
【００１３】
この構成によれば、液晶パネル用導光ユニットにおいては、第１照明手段からの光が第１導光板から出射される。この光は拡散手段で拡散された後に、液晶パネルに到達し、この光により液晶パネルが照明される。その結果、遊技者に液晶パネル上の表示が視認される。リール用導光ユニットにおいては、第２照明手段からの光が第２導光板から出射され、この光によりリールが照明される。その結果、遊技者にリール識別情報が視認される。
【００１４】
本発明の遊技機においては、前記第１及び第２導光板、前記拡散手段、及び前記第１反射手段は、それぞれのリールの識別情報を視認させるための開口部を有し、前記第２反射手段は、すべてのリール領域を視認させるための開口部を有することが好ましい。
【００１５】
この構成によれば、遊技者が開口部から照明されたリール領域を視認でき、照明されたリール識別情報を認識することができる。このため、遊技者は、リール識別情報を確実に視認しながら遊技を行うことができ、それに基づいて目押しなどの遊技操作を行うことができる。
【００１６】
本発明の遊技機においては、前記液晶表示装置は、前記液晶パネル用導光ユニット及び前記リール用導光ユニットを一体に保持する保持手段を有することが好ましい。
【００１７】
この構成によれば、確実に液晶パネル用導光ユニット及びリール用導光ユニットを一体に保持することができ、液晶表示装置における構造を簡略化することができる。
【発明の効果】
【００１８】
本発明によれば、液晶パネル用導光ユニット及びリール用導光ユニットを液晶表示装置内で一体に保持することができるので、遊技機の組み立てにおける工程及び液晶表示装置の構成を簡略化することができる。
【発明を実施するための最良の形態】
【００１９】
以下、本発明の実施形態に係る遊技機について、添付図面を参照して詳細に説明する。
【００２０】
図１は、本発明の一実施形態に係る遊技機を示す図である。遊技機１は、いわゆる「パチスロ機」である。この遊技機１は、コイン、メダル、遊技球又はトークンなどの他、遊技者に付与された、もしくは付与される遊技価値の情報を記憶したカードなどの遊技媒体を用いて遊技する遊技機であるが、以下ではメダルを用いるものとして説明する。
【００２１】
遊技機１の全体を形成しているキャビネット２の正面には、略垂直面としてのパネル表示部２ａが形成され、その中央には縦長矩形の左リール表示窓４Ｌ、中リール表示窓４Ｃ、右リール表示窓４Ｒが設けられる。左リール表示窓４Ｌ、中リール表示窓４Ｃ、右リール表示窓４Ｒには、入賞ラインとして水平方向にトップライン８ｂ、センターライン８ｃ及びボトムライン８ｄ、斜め方向にクロスダウンライン８ａ及びクロスアッブライン８ｅが設けられている。これらの入賞ラインは、後述の１―ＢＥＴボタン１１、２―ＢＥＴボタン１１、１２、最大ＢＥＴボタン１３を操作すること、或いはメダル投入口２２にメダルを投入することにより、それぞれ１本、３本、５本が有効化される。どの入賞ラインが有効化されたかは、後で説明するＢＥＴランプ９ａ、９ｂ、９ｃの点灯で表示される。ここで、入賞ライン８ａから８ｅは、役の入賞の成否に関わる。
【００２２】
即ち、所定の役（例えば、後述の「チェリーの小役」）に対応する一の図柄（例えば、後述の“チェリー図柄９７”）がいずれかの有効化された入賞ラインに対応する所定の位置（例えば、後述のＢＥＴ数が“３”であれば左リール表示窓４Ｌ内の位置）に停止表示されること、又は所定の役に対応する図柄組合せを構成する図柄がいずれかの有効化された入賞ラインに対応する所定の位置に並んで停止表示されることにより、所定の役の入賞が成立することとなる。
【００２３】
キャビネット２の内部には、各々の外周面に複数種類の図柄によって構成される図柄列が描かれた３個のリール３Ｌ、リール３Ｃ、リール３Ｒが回転自在に横一列に設けられ、変動表示手段を形成している。各リールの図柄は左リール表示窓４Ｌ、中リール表示窓４Ｃ、右リール表示窓４Ｒを通して遊技者が観察できる。各リールは、定速回転時の回転速度として例えば、毎分８０回転で回転する。
【００２４】
左リール表示窓４Ｌ、中リール表示窓４Ｃ、右リール表示窓４Ｒの左側には、１―ＢＥＴランプ９ａ、２―ＢＥＴランプ９ｂ、最大ＢＥＴランプ９ｃ、クレジット表示部１９が受けられる。１―ＢＥＴランプ９ａ、２―ＢＥＴランプ９ｂ及び最大ＢＥＴランプ９ｃは、一のゲームを行うために賭けられたメダルの数（以下「ＢＥＴ数」という）に応じて点灯する。ここで、本実施形態では、一のゲームは、全てのリールが停止したときに終了する。１―ＢＥＴランプ９ａは、ＢＥＴ数が“１”で１本の入賞ラインが有効化されたときに点灯する。２-ＢＥＴランプ９ｂは、ＢＥＴ数が“２”で３本の入賞ラインが有効化されたときに点灯する。最大ＢＥＴランプ９ｃは、ＢＥＴ数が“３”で全て（５本）の入賞ラインが有効化されたときに点灯する。クレジット表示部１９は、７セグメントＬＥＤで構成し、貯留されているメダルの枚数を表示する。
【００２５】
左リール表示窓４Ｌ、中リール表示窓４Ｃ、右リール表示窓４Ｒの右側には、告知ランプ（いわゆるＷＩＮ点灯ランプ）１７及び払出表示部１８が設けられる。告知ランプ１７は、基本的に、ＢＢ又はＲＢの入賞成立が実現可能となった後、ＢＢ又はＲＢの入賞が成立するまでの問、点灯する。ここで、ＢＢ及びＲＢを総称して、以下「ボーナス」という。払出表示部１８は、７セグメントＬＥＤで構成し、入賞成立時のメダルの払出枚数を表示する。
【００２６】
ここで、ＢＢ、ＲＢとは以下のようなものである。現在主流の機種は、複数種類の入賞態様を有する。特に、ある役の入賞が成立したときは、１回のメダルの払出しに終わらず、所定期問、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」と略記する。
【００２７】
パネル表示部２ａの左側上部には、ボーナス遊技情報表示部２０が設けられる。ボーナス遊技情報表示部２０は、７セグメントＬＥＤで構成し、後述するＢＢ一般遊技状態におけるゲームの回数などを表示する。左リール表示窓４Ｌ、中リール表示窓４Ｃ、右リール表示窓４Ｒの下方には水平面の台座部１０が形成され、その台座部１０と左リール表示窓４Ｌ、中リール表示窓４Ｃ、右リール表示窓４Ｒとの間には液晶表示装置２７が設けられている。この液晶表示装置２７の略全面には、遊技に関連する情報などが表示される。
【００２８】
液晶表示装置２７の右側にはメダル投入口２２が設けられ、液晶表示装置２７の左側には、１―ＢＥＴボタン１１、２―ＢＥＴボタン１２、及び最大ＢＥＴボタン１３が設けられる。１―ＢＥＴボタン１１は、１回の押し操作により、クレジットされているメダルのうらの１枚がゲームに賭けられ、２―ＢＥＴボタン１２は、１回の押し操作により、クレジットされているメダルのうちの２枚がゲームに賭けられ、最大ＢＥＴボタン１３は、１回のゲームに賭けることが可能な最大枚数のメダルが賭けられる。これらのＢＥＴスイッチを操作することで、前述のとおり、所定の入賞ラインが有効化される。
【００２９】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からクレジットされていたメダルが払出され、払出されたメダルはメダル受け部１６に溜められる。Ｃ／Ｐスイッチ１４の右側には、遊技者の操作により上記リールを回転させ、左リール表示窓４Ｌ、中リーレ表示窓４Ｃ、右リール表示窓４Ｒ内での図柄の変動表示を開始するためのスタートレバー６が所定の角度範囲で回動自在に取り付けられている。
【００３０】
キャビネット２の上方の左右には、スピーカ２１Ｌ、２１Ｒが設けられ、その２台のスピーカ２１Ｌ、２１Ｒの間には、入賞図柄の組合せ及びメダルの配当枚数などを表示する配当表パネル２３が設けられている。台座部１０の前面部中央で、液晶表示装置２７の下方位置には、３個の左リール３Ｌ、中リール３Ｃ、右リール３Ｒの回転をそれぞれ停止させるための３個のリール停止ボタン（停止操作手段）７Ｌ、７Ｃ、７Ｒが設けられている。
【００３１】
なお、遊技機１は、停止ボタン７Ｌ、７Ｃ、７Ｒを設けない構成とすることもできる。かかる場合、遊技者によるスタートレバー６の操作に応じて変動表示を開始する各リール３Ｌ、３Ｃ、３Ｒは、当該変動表示の開始から所定の時間経過後、内部当選役に基づいて自動的に順次停止する。
【００３２】
また、リール停止ボタン７Ｒの右側には、液晶表示装置２７に表示するメニュー画面の切替え手段としてのスクロールスイッチ２００を設け、上スクロールスイッチ２００ａ及
び下スクロールスイッチ２００ｂによりメニューを切り換えることができる。
【００３３】
図２は、本実施形態に用いる各左リール３Ｌ、中リール３Ｃ、右リール３Ｒに表わされた複数種類の図柄が２１個配列された図柄列を示している。各図柄には“００”から“２０”のコードナンバーが付され、データテーブルとしてＲＯＭに格納（記憶）されている。左リール３Ｌ、中リール３Ｃ、右リール３Ｒ上には、“赤７図柄９１”、“青７図柄９２”、“ＢＡＲ図柄９３”、“ベル図柄９４”、“プラム図面９５”、“Ｒｅｐｌａｙ図柄９”及び“チェリー図柄９７”の図柄で構成される図柄列が表わされている。左リール３Ｌ、中リール３Ｃ、右リール３Ｒは、図柄列が図中左に示す下矢印方向に移動するように回転駆動される。
【００３４】
図３は、本発明の一実施形態に係る遊技機の液晶表示装置を示す図である。この液晶表示装置２７は、液晶パネル１０４と、遊技機の遊技者側から見て液晶パネル１０４の背面側（リール側）に設けられ、液晶パネル照明用の光源から出射される光を液晶パネル１０４側へ導く液晶パネル用導光ユニットと、リール照明用の光源から出射される光をリール側に導くリール用導光ユニットと、を有する。
【００３５】
液晶表示装置２７において、透明板１０１が遊技者に最も近い位置に配置されている。この透明板１０１は、透明材料で構成されていれば良く、アクリル板やガラス板を用いることができる。この透明板１０１の両端面は、断面略Ｌ字形状のブラケット１１７の一つの面により支持されており、ブラケット１１７の他の面は遊技機筐体（機器前面パネル）１１５にねじ１１８により固定されている。
【００３６】
透明板１０１のリール側の表面の周縁部には、断面略L字形状を有するリールガラスベース１０２が当接されている。このリールガラスベース１０２は、透明板１０１と当接していない面は、液晶パネル用導光ユニット及びリール用導光ユニットの厚さを含む長さを有する。また、リールガラスベース１０２の内側には、断面略L字形状を有するベゼル金属枠１０３が配置されている。このベゼル金属枠１０３は、リールガラスベース１０２の相似形状であるので、リールガラスベース１０２の内側に適合する。
【００３７】
ベゼル金属枠１０３の内側には、液晶パネル１０４が配置されており、液晶パネル１０４の周縁部がベゼル金属枠１０３と当接している。液晶パネル１０４のリール側（導光板に関して遊技者側）には、液晶ホルダ１０５を介して拡散板１０６ａ, １０６ｂが配置されている。この拡散板１０６ａ，１０６ｂは、後述する導光板１０７から出射された光を拡散させる。なお、液晶ホルダ１０５は、必須の構成ではなく、液晶パネル１０４と拡散板１０６ａ，１０６ｂとの間に介在させなくても良い。
【００３８】
拡散板１０６ａ，１０６ｂのリール側には、それぞれのリールの識別情報を視認させるための開口部１０７ａを有する導光板１０７が配置されている。導光板１０７の上部及び下部には、液晶パネル照明用の光源である冷陰極管１０８が取り付けられている。導光板１０７は、冷陰極管１０８からの光を内部で反射させながら伝搬させて出射する。また、導光板１０７のリール側（導光板１０７に関して拡散板１０６ａ，１０６ｂと反対側）には、導光板１０７から出射した光を反射する反射板１０９が配置されている。拡散板１０６ａ，１０６ｂ、導光板１０７、冷陰極管１０８及び反射板１０９で液晶パネル用導光ユニットを構成する。なお、本実施形態においては、拡散板を２枚配置した場合について説明しているが、拡散板は１枚であっても３枚以上でも良い。また、液晶パネル用導光ユニットは、図３に示す構成に限定されず、液晶パネルを照明できる構成であれば良く、位相差板や偏光板などを適宜追加しても良い。
【００３９】
反射板１０９のリール側には、それぞれのリールの識別情報を視認させるための開口部１１０ａを有する導光板１１０が配置されている。導光板１１０の上部及び下部には、リール照明用の光源である冷陰極管１１１が取り付けられている。導光板１１０は、冷陰極管１１１からの光を内部で反射させながら伝搬させて出射する。また、導光板１１０のリール側（導光板１１０に関して液晶パネル用導光ユニット側と反対側）には、導光板１１０から出射した光を反射する反射板１１２が配置されている。さらに、反射板１１２のリール側には、バックカバー１１６が配置されている。導光板１１０、冷陰極管１１１及び反射板１１２でリール用導光ユニットを構成する。なお、リール用導光ユニットは、図３に示す構成に限定されず、リールを照明できる構成であれば良く、位相差板や偏光板などを適宜追加しても良い。また、バックカバー１１６は、必須の構成ではなく、反射板１１２のリール側に配置しなくても良い。
【００４０】
反射板１１２のリール側には、リアホルダ１１４が配置されている。このリアホルダ１１４の端面は、リールガラスベース１０２の透明板１０１側から延在する面の内側と当接している。リアホルダ１１４のリール側の表面には、段差部が設けられており、その段差部にはダストカバー１１３が取り付けられている。リアホルダ１１４、リールガラスベース１０２及びベゼル金属枠１０３により、液晶パネル用導光ユニット及びリール用導光ユニットを一体に保持する。このような構成を有する液晶表示装置２７の背面側（遊技機の遊技者側から見て液晶パネルの背面側）には、リール３Ｌ，３Ｃ，３Ｒが配置されている。
【００４１】
このような構成においては、リアホルダ１１４、リールガラスベース１０２及びベゼル金属枠１０３が、液晶パネル１０４、液晶パネル用導光ユニット及びリール用導光ユニットを厚さ方向に押圧し、リールガラスベース１０２及びベゼル金属枠１０３が液晶パネル１０４、液晶パネル用導光ユニット及びリール用導光ユニットを幅方向に押圧する。これにより、液晶パネル１０４、液晶パネル用導光ユニット及びリール用導光ユニットが、保持部材であるリアホルダ１１４、リールガラスベース１０２及びベゼル金属枠１０３により一体に保持されて固定される。
【００４２】
したがって、液晶パネル用導光ユニットと別体であるリール照明用の冷陰極管が液晶パネル用導光ユニットや遊技機筐体に取り付けられている構成ではなく、液晶パネル用導光ユニット及びリール用導光ユニットが液晶表示装置内で一体化されている。このため、遊技機を組み立てる工程において、リール照明用の冷陰極管を液晶パネル用導光ユニットや遊技機筐体に取り付ける工程が不要となる。その結果、遊技機の組み立てにおける工程及び液晶表示装置における構造を簡略化することができる。
【００４３】
なお、液晶表示装置２７は、液晶パネル駆動用のＩＣを搭載したテーブルキャリアパッケージ（ＴＣＰ）からなり液晶パネル１０４の端子部に接続されたフレキシブル基板（図示せず）などを含んでいる。また、液晶パネル１０４は、例えば画素毎に能動素子を備えた基板と、これに対向する基板との間に液晶材料を封入して形成される。
【００４４】
図４は、図３に示す液晶表示装置の構成を示す図である。なお、図４においては、構成を簡略化するために液晶ホルダ１０５を省略して図示している。
【００４５】
拡散板１０６ａ，１０６ｂ、導光板１０７、反射板１０９、導光板１１０のそれぞれは、リールの識別情報を視認させるための開口部１０６ｃ，１０７ａ，１０９ａ，１１０ａを有する。各部材の開口部１０６ｃ，１０７ａ，１０９ａ，１１０ａは、リールの識別情報が遊技者側から視認できるように、それぞれ位置合わせされている。また、反射板１１２及びバックカバー１１６のそれぞれは、すべてのリール領域を視認させるための開口部１１２ａ，１１６ａを有する。各部材の開口部１１２ａ，１１６ａは、リール領域が遊技者側から視認できるように、それぞれ位置合わせされている。
【００４６】
また、導光板１１０の開口部１１０ａの周囲には、光偏向パターン１１０ｂが形成されている。この光偏向パターン１１０ｂは、導光板１１０から出射する光を散乱させる機能を発揮するものであり、溝やコーンカットなどの微細加工を施した金型を用いて導光板を成形して導光板１１０に転写することにより設けることができる。なお、この光偏向パターン１１０ｂについては特に限定はない。
【００４７】
このような構成の液晶表示装置において、液晶パネル用導光ユニットでは、液晶パネル照明用の光源である冷陰極管１０８からの光が導光板１０７の端面から入射され、導光板１０７の内部を反射しながら伝搬する。そして、反射において臨界角を超えたときに導光板１０７から光が出射される。この光は拡散板１０６ａ，１０６ｂで拡散された後に、液晶パネル１０４に到達し、この光により液晶パネル１０４が照明される。その結果、遊技者に液晶パネル１０４上の表示が視認される。
【００４８】
リール用導光ユニットでは、リール照明用の光源である冷陰極管１１１からの光が導光板１１０の端面から入射され、導光板１１０の内部を反射しながら伝搬する。そして、反射において臨界角を超えたときに導光板１１０から光が出射される。このとき、導光板１１０の光偏向パターン１１０ｂにより出射光が散乱される。この光は、反射板１１２及びバックカバー１１６の開口部１１２ａ，１１６ａを通してリールに到達する。これによりリール領域が照明される。照明されたリール領域は、拡散板１０６ａ，１０６ｂ、導光板１０７、反射板１０９、導光板１１０、反射板１１２及びバックカバー１１６のそれぞれの開口部１０６ｃ，１０７ａ，１０９ａ，１１０ａ，１１２ａ，１１６ａを通して遊技者が視認することができる。その結果、遊技者が開口部から照明されたリール領域を視認でき、照明されたリール識別情報を認識することができる。このため、遊技者は、リール識別情報を確実に視認しながら遊技を行うことができ、それに基づいて目押しなどの遊技操作を行うことができる。
【００４９】
ここで、液晶パネル１０４の表示モードは、ノーマリーホワイトに設定されている。液晶パネル１０４がノーマリーホワイトに設定された場合、液晶パネルを駆動していない状態で白表示、即ち、表示面側に光が透過し、透過した光が視認される。ノーマリーホワイトに設定された液晶パネル１０４を用いることにより、液晶パネルを駆動していない状態であっても、遊技者は、各部材に設けられた開口部を通して、変動表示あるいは停止表示しているリール識別情報（左リール３Ｌ、中リール３Ｃ、右リール３Ｒ上に配置された図柄）を視認することができ、遊技を継続することができる。なお、液晶パネル１０４は、演出画像などの画像を表示するものでもある。なお、液晶パネル１０４の表示モードはノーマリーホワイトに限定されず、液晶駆動タイプに対応してノーマリーブラックであっても良い。
【００５０】
本発明は上記実施形態に限定されず、種々変更して実施することが可能である。例えば、本実施形態における透明板、拡散板、反射板などは、板状体に限定されず、シート状体やフィルム状体であっても良い。また、実施形態やその変更例に記載された作用及び効果は、本発明から生じる最も好適な作用及び効果を列挙したに過ぎず、本発明による作用及び効果は、本発明の実施形態やその変更例に記載されたものに限定されるものではない。
【図面の簡単な説明】
【００５１】
【図１】本発明の一実施形態に係る遊技機を示す斜視図である。
【図２】リール上に配列された図柄の例を示す図である。
【図３】本発明の一実施形態に係る遊技機の液晶表示装置を示す図である。
【図４】図３に示す液晶表示装置の構成を示す図である。
【図５】従来の遊技機の液晶表示装置を示す図である。
【符号の説明】
【００５２】
３Ｌ，３Ｃ，３Ｒ  リール
２７  液晶表示装置
１０１  透明板
１０２  リールガラスベース
１０３  ベゼル金属枠
１０４  液晶パネル
１０６ａ, １０６ｂ  拡散板
１０６ｃ，１０７ａ, １０９ａ, １１０ａ, １１２ａ，１１６ａ  開口部
１０７，１１０  導光板
１０８，１１１  冷陰極管
１０９，１１２  反射板
１１３  ガストカバー
１１４  リアホルダ
１１６  バックカバー
【図１】
2006006651.tif 000003
【図２】
2006006651.tif 000004
【図３】
2006006651.tif 000005
【図４】
2006006651.tif 000006
【図５】
2006006651.tif 000007